(57)【要約】【課題】断熱性と遮音性をいっそう向上させることができる浴室の防止パンを提供する。【解決手段】防水パン７，８は、浴室１の浴槽２の下および流し場３の下に設置される。防水パン７，８は、合成樹脂製で中空二重壁構造をなしている。中空二重壁構造をなす防水パン７，８の中空部１０，１２には、樹脂発泡体１１，１３を封入して、断熱性および遮音性を保持させる。中空二重壁構造をなす防水パン７，８の中空部１０，１２に封入された樹脂発泡体１１，１３は、その界面を防水パン７，８の中空部１０，１２の内面に溶着している。【選択図】        図１
2004183243.tif 000002
【特許請求の範囲】
【請求項１】
浴室の浴槽部分または流し場部分の防水パンであって、防水パンは合成樹脂製で中空二重壁構造をなし、中空二重壁構造をなす防水パンの中空部には、樹脂発泡体を封入して断熱性および遮音性を保持させてなることを特徴とする浴室の防水パン。
【請求項２】
中空二重壁構造をなす防水パンは、上壁と下壁からなり上壁は排水口に向けてテーパーをなすとともに下壁は水平をなしていることを特徴とする請求項１記載の浴室の防水パン。
【請求項３】
中空二重壁構造をなす防水パンは上壁とした壁からなり中空部に封入された樹脂発泡体は、防水パンの中空部内面の上壁とした壁に固着していることを特徴とする請求項１または２記載の浴室の防止パン。
【発明の詳細な説明】
【０００１】
【発明の属する技術分野】
本発明は、浴室の浴槽下または流し場下に防水のために設置する浴室の防水パンに関するものである。
【０００２】
【従来の技術】
従来から、浴室においては、その浴槽下および流し場（洗い場）下に防水のための防水パンを設置することが行われている（例えば、特開２０００−２７４０９７号公報または特開平９−２５６４３７号公報参照）。そして、これらの防水パンには、特に一戸建ての場合は床下寒気により洗い場が冷えるので、断熱性をもたせて流し場面が冷えるのを防止する必要があった。そこで、流し場が冷えるのを防止するために、その下外面に断熱材を貼ることは特開２０００−２７４０９７号公報に記載されており、またヒータパネルを沿わせることは特開平９−２５６４３７号公報に記載されている。
【０００３】
【発明が解決しようとする課題】
ところで、前掲のように、従来の防止パンは単壁構造のものであるから、それ自体の断熱性が低く、たとえその下外面に断熱材を貼っても、断熱性を十分向上させることは技術的に困難視されていた。更に単壁構造の従来の防水パンは、排水口への流れ性を得るためにテーパー状にしようとすると防水パンの裏面が水平ではないのでそれを支える支え脚部をそれぞれ個別に高さ調整をしなくてはならないという施工上の課題を有していた。
【０００４】
そこで、本発明の目的は、防水パンを中空二重壁構造としてそれ自体の断熱性と遮音性を高くするとともに、施工性を改良し、中空二重壁構造によって形成される中空部に樹脂発泡体を封入して、断熱性と遮音性をいっそう向上させることができる浴室の防水パンを提供するものである。
【０００５】
【課題を解決するための手段】
上記目的を達成するため、本発明の請求項１に係る浴室の防水パンは、浴室の浴槽部分または流し場部分の防水パンであって、防水パンは合成樹脂製で中空二重壁構造をなし、中空二重壁構造をなす防水パンの中空部には、樹脂発泡体を封入して断熱性および遮音性を保持させてなることを特徴とするものである。
【０００６】
また、本発明の請求項２に係る浴室の防水パンは、請求項１記載の構成において、上壁と下壁からなり上壁は排水溝に向けてテーパーをなすとともに下壁は水平をなしていることを特徴とするものである。
【０００７】
また、本発明の請求項３に係る浴室の防水パンは、請求項１または２記載の構成において、上壁とした壁からなり中空部に封入された樹脂発泡体は、防水パンの中空部内面の上壁とした壁に固着していることを特徴とするものである。
【０００８】
【発明の実施の形態】
図１は本発明の一実施の形態に係る浴室の防水パンを備えた浴室を一部破断して示す斜視図、図２は防水パンの構成を詳細に示す一部の断面図である。
【０００９】
図１は本発明の実施例に係る一戸建て家屋の例であり、１は浴室、２は浴槽、３は流し場、４は出入口のドア、５は浴室前の床、６はコンクリート基礎である。浴槽２の下には浴槽用の防水パン７が、また流し場３の下には洗い場用の防水パン８が設置されている。９は支え脚体である。
【００１０】
防止パン７，８は、合成樹脂製でそれぞれ上壁７ａ，８ａおよび下壁７ｂ，８ｂを有する中空二重壁構造をなすものであって、熱可塑性樹脂をブロー成形してそれぞれ構成されるものである。中空二重壁構造の防水パン７には、その中空部１０に樹脂発泡体１１が封入されている。防水パン８の中空部１２にも同様に樹脂発泡体１３が密に封入されている。
【００１１】
防水パン８には排水用の溝１４とその中央部分に排水口１４ａを有しており、防水パン８の上壁８ａは排水用の溝１４に向けてテーパー状をなしている。また、排水用の溝１４自体も排水口１４ａに向けてテーパー状をなしているので、防水パン８の上壁ａに滴下された湯水は排水口１４ａに効率よく流れる。
【００１２】
防水パン８の上壁８ａには、表面に付着した水の表面張力が破壊される凹凸構造からなる表面構造とするとともにその凹凸状の表面構造により水玉を形成することなく広がった水を排出する流路を同時に形成した構造とすることにより床に水滴が残ることのない流し場が得られる。
【００１３】
防水パン８の下壁８ｂは、基礎６に対して水平をなしている。従って、防水パン８の取り付けに際しては支え脚体９の高さを同じにするだけで、容易に水平状態に取り付けることができるようになっているので、支え脚体９の高さをそれぞれを調整しなくてもよい。
【００１４】
防水パン７，８の下壁７ｂ，８ｂには、支え脚体９を固定するための受部（図示せず）が形成されており、成形時に一体に形成したネジ部などが構成されている。このように中空二重壁構造の下壁に受部を構成することにより浴室側にネジなどの突起を形成することなく高い剛性でネジ部を形成できる。
【００１５】
防水パン７の中空部１０に封入された樹脂発泡体１１は、中空部１０内で密に封入されていて、防水パン７の上壁７ａと下壁７ｂに密に固着されて一体化されている。このため、防水パン７は、それ自体が中空二重壁構造であることに加えて上壁７ａと下壁７ｂに密に固着され一体化されていることによって、剛性が大きく向上しているものとなる。なお、防水パン８も防水パン７と同構成であって、同等の性能を有するものである。
【００１６】
防水パンの上壁と下壁に樹脂発泡体１１の界面を互いに固着する方法は、熱による熱溶着であっても、接着剤による接着であっても良い。
【００１７】
熱溶着するには、中空二重壁構造の防水パンの中空部内に粒状の発泡体を水蒸気と一緒に入れ込んで水蒸気加熱することにより溶着する方法かあるいは内面を加熱した二つのシート状の半体に予め所望の形状に形成した発泡体を配置してシート状半体の間に発泡体を入れ込んでそれぞれを溶着する方法が好適である。
【００１８】
接着するには、防水パンの中空部内に接着剤を混入した粒状の発泡体入れ込んで発泡体同士と発泡体と上壁と下壁とを接着したものが好適である。
【００１９】
本発明に係る中空二重壁構造の防水パン７，８を構成する熱可塑性樹脂材料は、剛性があれば特に限定されるものではないが、ポリエチレン樹脂、ポリプロピレン樹脂などのオレフィン系樹脂またはスチレン系樹脂が好適である。
【００２０】
樹脂発泡体１１，１３は、防水パン７，８と同素材を発泡させたものとするのが、リサイクル上好ましい。したがって、樹脂発泡体１１，１３もポリエチレン樹脂、ポリプロピレン樹脂などのオレフィン系樹脂またはスチレン系樹脂が好ましいが特に限定されるものではない。防水パン７，８と樹脂発泡体１１，１３は同素材であれば、防水パン７，８の上壁７ａ，８ａ及び下壁７ｂ，８ｂと樹脂発泡体１１，１３の界面の熱溶着性は良好であり、防水パン７，８に対する樹脂発泡体１１，１３との一体化は強固である。
【００２１】
上記のように、本発明に係る中空二重壁構造の防止パン７，８は、防水パン７，８と樹脂発泡体１１，１３とが同素材であれば、全体が同素材で構成されるから、リサイクル性にすぐれている。すなわち、本発明に係る中空二重壁構造の防水パン７，８は、その全体をそのまま簡単にリサイクルすることができるものである。
【００２２】
本発明に係る防水パン７，８は、中空二重壁構造であるからそれ自体の断熱性と遮音性が高いうえに、中空二重壁構造によって形成される中空部１０，１２には樹脂発泡体１１，１３が封入されているので、断熱性と遮音性が一段と高くなる。このため、本発明に係る防水パン７，８によれば、特に一戸建ての浴室１の場合には、特に床下寒気による流し場３面の冷えを効果的に防止することができることになる。特に、床下寒気に対する遮断性が高いので、一戸建てでありがちな浴室の冷えとそれに伴う浴槽の湯温の急激な冷えを防止することができる。また、一戸建ての二階以上に浴室１を設ける場合やマンションの浴室の場合には、防水パン７，８上面で反響に起因する階下の騒音を効果的に遮音することができるものである。
【００２３】
また、中空二重壁構造により上壁を流れ方向に沿ったテーパー状とし下壁の形状を水平としてそれぞれの壁の形状を変えることにより、排水の流れを効率よく行なうとともに施工の際の基礎との水平性を容易にだすことができるものである。
【００２４】
【発明の効果】
本発明によれば、防水パンを中空二重壁構造としてそれ自体の断熱性と遮音性を高くするとともに、中空二重壁構造によって形成される中空部に樹脂発泡体を封入して、断熱性と遮音性をいっそう向上させることができる浴室の防止パンを提供することができる。
【図面の簡単な説明】
【図１】本発明の一実施の形態に係る浴室の防水パンを備えた浴室を一部破断して示す斜視図である。
【図２】防水パンの構成を詳細に示す一部の断面図である。
【符号の説明】
１  浴室
２  浴槽
３  流し場
４  出入口のドア
５  浴室前の床
６  コンクリート基礎
７  防水パン
７ａ  その上壁
７ｂ  その下壁
８  防水パン
８ａ  その上壁
８ｂ  その下壁
９  支え脚体
１０  中空部
１１  樹脂発泡体
１２  中空部
１３  樹脂発泡体
１４  排水表の溝
１４ａ  排水口
【図１】
2004183243.tif 000003
【図２】
2004183243.tif 000004